【事件の表示】
　特願２００５−　６３６９９「バリアブル印刷機」拒絶査定不服審判事件〔平成１８年　９月２１日出願公開、特開２００６−２４７８６９〕について、次のとおり審決する。
【結　論】
　本件審判の請求は、成り立たない。
【理　由】
１．手続の経緯
　本件審判請求に係る出願は、平成１７年３月８日の出願であって、平成１９年９月２７日付けの拒絶理由通知に対して、平成１９年１１月２８日付けで意見書および手続補正書が提出されたところ、平成２０年１月１８日付けで拒絶査定がなされたものである。
　これに対して、平成２０年２月２２日付けで拒絶査定不服審判が請求され、同年３月２１日付けで明細書及び特許請求の範囲についての手続補正がなされ、又、同年４月２８日付けで審判請求書についての手続補正がなされ、当審において、平成２１年８月２６日付けで審判審尋を行ったところ、同年１１月２日付けで回答書が提出された。
　その後、当審において、平成２０年３月２１日付け手続補正を平成２２年４月３０日付けで、却下すると共に、同日付けで拒絶理由を通知したところ、同年６月３０日付けで意見書及び手続補正書が提出された。
　さらに、当審において、平成２２年８月９日付けで拒絶理由を通知したところ、同年１０月８日付けで意見書が提出された。
　
２．本願発明
　本願の請求項１に係る発明は、平成２２年６月３０日付けの手続補正により補正された特許請求の範囲の請求項１に記載された事項により特定される、次のとおりのものである（以下「本願発明」という。）。
　「同期して正逆回転可能にして被印刷材の走行方向に離隔して設けた一対の送りローラ間に、周面に印刷面となる大径部とこの大径部より小径にした小径部が周方向に設けられ、かつ連続回転する印刷胴と、この印刷胴の大径部周面に対接する圧胴とからなる少なくとも１組の印刷ユニットを配置し、
　上記一対の送りローラが、印刷胴の大径部が圧胴との間で被印刷材に接している間にわたってこの大径部の回転速度と等速で被印刷材を走行し、小径部が被印刷材に対向している間に、上記印刷胴の大径部のうちの非画像範囲にわたって被印刷材を逆方向に走行せる（審決注：「走行
さ
　印刷ユニットの圧胴の上流側と下流側の少なくとも一方に、印刷胴と圧胴の間を通る被印刷材を圧胴に所定の巻き角にわたって巻き掛けるためのガイドローラを配置すると共に、圧胴を上記一対の送りローラと同期して正逆回転可能にした
　ことを特徴とするバリアブル印刷機。」
　
３．引用刊行物とそれに記載された事項及び発明
　(１)当審における平成２２年８月９日付け拒絶理由に引用した、本願出願前に頒布された刊行物である特開２００４−３５１６４０号公報（以下「引用文献１」という。）には、図面と共に、次の事項が記載されている。
　なお、以下、下線は当審において付すものである。
　ア．段落【0001】
「【発明の属する技術分野】
本発明は、
連続した用紙にブランケットの周長より短い天地長さの画像を相互の印刷画像間に余分のスペースがあくことなく印刷するようにしたバリアブル印刷機に関する
　イ．段落【0011】
「【発明の実施の形態】
本発明の実施の形態を図面に基づいて説明する。
図中１ａ，１ｂは用紙２の走行ライン上の印刷部に配置される２組（複数組）のそれぞれ同一構成の印刷ユニットであり、この
印刷ユニット１ａ，１ｂは版胴３とブランケット胴４と圧胴５とからなり、ブランケット胴４の周面には、例えば１／２円周長の印刷面となる大径部４ａが設けてある。そして、この大径部の周面にブランケットが取り付けてあり、この面に上記版胴３と圧胴５が接触するようになっている
　ウ．段落【0012】
「この印刷ユニット１ａ，１ｂは、版胴３からブランケット胴４に、これの大径部の始端から周方向長さにわたって印版が転写される。そして
天地方向長さが上記ブランケット胴４の大径部の周長分の画像を天地方向に繰り返し連続的に用紙２に印刷する場合、ブランケット胴４が連続回転する間に、用紙２はブランケット胴４の大径部の周長にわたって等速で前進方向に走行し
用紙２上にブランケット胴４の大径部の周長の画像が天地方向に余計な隙間があくことなく繰り返し印刷される
上記画像の天地方向の長さがブランケット胴４の大径部の周長より短い場合には、用紙２をこの画像がない周長分だけブランケット胴４の小径部が対向している間に逆方向に走行させる
　エ．段落【0013】
「図中
６ａ，６ｂは上記複数の印刷ユニット１ａ，１ｂからなる印刷部の入口部と出口部に配置されて上記印刷部における印刷作動と同期して正転、停止、逆転を行うようにして用紙を間欠送りするための間欠送り装置である
　オ．段落【0014】
「
間欠送り装置６ａ，６ｂは上下方向に離間すると共に互いに逆方向に同期回転する２本の送りロール８ａ，８ｂと、それぞれの送りロール８ａ，８ｂに２個（少なくとも１個以上）ずつ転接して従動する押えロール９ａ，９ｂとからなっている
　カ．段落【0017】
「上記構成において、
印刷ユニット１ａ，１ｂの作動に同期して間欠送り装置６ａ，６ｂが間欠作動して、用紙２は印刷ユニット１ａ，１ｂのブランケット胴４の大径部にて印刷される画像の天地方向長さにわたって前進方向に走行され、ブランケット胴４の小径部に対向する状態で停止、あるいは逆方向に走行されて用紙２は間欠送りされ、この用紙２には上記ブランケット胴４による画像が余計な空白が天地方向に生じることなく繰り返し印刷されてバリアブル印刷が行われる
　キ．段落【0018】
「このとき、
間欠送り装置６ａ，６ｂでは、用紙２が２本の送りロール８ａ，８ｂにＳ字掛けされていて、各送りロール８ａ，８ｂに１８０度以上にわたって巻き掛けされていること、及び各送りロール８ａ，８ｂの巻き掛け部において押えロール９ａ，９ｂにて押えられていることにより、用紙２はこの間欠送り装置６ａ，６ｂにおいて、各送りロール８ａ，８ｂとの接触摩擦力と押えロール９ａ，９ｂによる押え力が作用し、スリップすることなく間欠送りされる
　
　上記記載からみて、引用文献１には、次の発明（以下「引用文献１記載発明」という。）が開示されていると認められる。
　「複数の印刷ユニット１ａ，１ｂからなる印刷部と、該印刷部の入口部と出口部に配置され、印刷部における印刷ユニット１ａ，１ｂの印刷作動と同期して正転、停止、逆転を行うようにして用紙２を間欠送りする間欠送り装置６ａ、６ｂとを備えたバリアブル印刷機であって、
　上記印刷ユニット１ａ，１ｂは、版胴３とブランケット胴４と圧胴５とからなり、ブランケット胴４の周面には、例えば１／２円周長の印刷面となる大径部４ａが設けてあり、この大径部の周面に上記版胴３と圧胴５が接触するようになっており、
　上記間欠送り装置６ａ，６ｂのそれぞれは、上下方向に離間し、互いに逆方向に同期回転する２本の送りロール８ａ，８ｂと、送りロール８ａ，８ｂのそれぞれに転接して従動する押えロール９ａ，９ｂとからなっており、
　天地方向長さがブランケット胴４の大径部の周長分の画像を天地方向に繰り返し連続的に用紙２に印刷する場合、ブランケット胴４が連続回転する間に、ブランケット胴４の大径部の周長にわたって用紙２は等速で前進方向に走行し、次のブランケット胴４の小径部の周長の回転にわたって用紙２は停止し、これを順次繰り返してブランケット胴４の回転ごとに、ブランケット胴４の大径部の周長の画像が天地方向に余計な隙間があくことなく用紙２上に繰り返し印刷し、上記画像の天地方向の長さがブランケット胴４の大径部の周長より短い場合には、この画像がない周長分だけブランケット胴４の小径部が対向している間に用紙２を逆方向に走行させる、バリアブル印刷機。」
　
　(２)同じく引用した、本願出願前に頒布された刊行物である特開２００４−２７６６１６号公報（以下「引用文献２」という。）には、図面（特に図３参照）と共に、次の事項が記載されている。
　ク．段落【0013】
「本発明の現時点で好ましい２つの実施形態を添付図面に示す。先ず、図１に示す第１実施形態による印刷装置（１０）は、ウェブ（１２）、即ち巻取紙又は巻取シート等の連続帯状材に対する印刷を行う印刷装置であり、
ウェブ（１２）はウェブ供給装置内の第１ロール（１４）から繰り出され、矢印（１６）で示す全般的搬送方向に関して前後に連設配置された４つの印刷ステーションＩ〜ＩＶに通される。各印刷ステーションは実質的に同じ構造を有している
　ケ．段落【0015】
「図１及び図２に明らかなように
各印刷ステーションの印刷機ユニット（２０）はそれぞれ転写胴（２２）を備えており
この転写胴は以下においてはゴム胴と称する
ゴム胴（２２）に接して圧胴（２６）が対設されており、印刷対象ウェブ（１２）は搬送経路長補償装置（２８）を介してこの圧胴に送り込まれるようになっている
ウェブ（１２）は２つの平行区間を含む第１ループ部（３９）を形成しながら、遊動ローラ（３０）、及びウェブを圧胴（２６）の方向に転向させる非駆動の定置遊動ローラ（４２）とを巡って印刷機ユニット（２０）に送り込まれ、この印刷機ユニット内で圧胴によって案内されるウェブがゴム胴の外周面と接することでゴム胴から印刷像がウェブに転写される
　コ．段落【0016】１〜４行
「
圧胴（２６）から出て行くウェブ（１２）は同様に第２ループ（４１）を形成しながら補償装置（２８）の第２遊動ローラ（３２）と別の定置遊動ローラ（４４）とを巡り
印刷ステーション（１０）の下流へ出てゆく
　サ．段落【0024】
「矢印（５４）の方向へゴム胴が更に回転する間に
印刷像の転写が完了し、ブランケット（５０）がウェブ（１４）との接触から外れる位置、即ち図３Ｃに示す印刷終了状態に達すると、予め適正に設定されたプログラムに従って制御される図示しない圧胴駆動装置は先ず矢印（５６）方向の圧胴の回転を滑らかに減速し、これがゼロ値に達したら圧胴（２６）の回転を逆転して矢印（５８）の方向へ徐々に加速し、この間にゴム胴との接触から外れているウェブ（１２）を圧胴（２６）と第１遊動ローラ（３０）との間で逆方向に搬送するように制御動作を行う
ウェブが或る充分な距離だけ逆方向に搬送されると、圧胴駆動装置によって矢印（５８）の方向の圧胴の回転が再びゼロ値に達するまで滑らかに減速され、ゼロ値に達した直接に圧胴（２６）が再び矢印（５６）の方向に正転され、その周速がゴム胴（２２）の周速と一致する回転速度まで加速される
先行する印刷工程で転写された印刷像に対して間隔を空けずに、或いは僅かな間隔のみで次の印刷像をウェブに転写することが可能である
　シ．段落【0035】１〜５行
「
印刷ステーション内におけるウェブ（１２）の搬送駆動は両方向ともに圧胴（２６）によって行われるので、ウェブ（１４）を圧胴（２６）に巡らせる巻回角度範囲は、滑りを防止し且つゴム胴（２２）に対する相対的なウェブ（１４）の位置精度を可能な限り高精度とするために、或る最低値を下回ってはならない
所要の巻回角度範囲の値は、図示の実施形態においては約１８０°
　
４．対比
　本願発明と引用文献１記載発明とを対比する。
　ａ．引用文献１記載発明の「用紙２」、「ブランケット胴４」は、本願発明の「被印刷材」、「印刷胴」に、それぞれ相当する。
　ｂ．引用文献１記載発明の「間欠送り装置６ａ，６ｂ」のそれぞれを構成する「送りロール８ａ、８ｂ」の内、「送りロール８ｂ」に着目すると、該「送りロール８ｂ」は、印刷部の入口部と出口部とに隔離して、一対設けられており（図１参照）、用紙を走行させる際、同期して正転・逆転を行うことは明らかである。
　してみると、引用文献１記載発明の「一対の送りロール８ｂ」は、本願発明の「同期して正逆回転可能にして被印刷材の走行方向に離隔して設けた一対の送りローラ」に相当する。
　ｃ．引用文献１記載発明において、「用紙２は、ブランケット胴４の大径部の周長にわたって等速で前進方向に走行」するものであるところ、この「等速」が、ブランケット胴の大径部の回転速度と等速であることは明らかである。
　ｄ．引用文献１記載発明は、用紙の天地方向に連続的に画像を印刷するに際し、印刷される画像の天地方向の長さがブランケット胴の
大径部の周長分である場合
印刷される画像の天地方向の長さがブランケット胴の大径部の周長より短い場合
画像がない周長分だけ逆方向に走行される
　なお、引用文献１記載発明において、用紙が（正方向に）走行する間、圧胴は一対の送りローラと同期して正回転するものであるところ、用紙が逆方向に走行する間、圧胴がどのように作動しているか定かではないので、この点は、相違点として検討する。
　
　以上の点から、本願発明と引用文献１記載発明とは、次の点で一致する一方、次の点で相違するものである。 
《一致点》 
　「同期して正逆回転可能にして被印刷材の走行方向に離隔して設けた一対の送りローラ間に、周面に印刷面となる大径部とこの大径部より小径にした小径部が周方向に設けられ、かつ連続回転する印刷胴と、この印刷胴の大径部周面に対接する圧胴とからなる少なくとも１組の印刷ユニットを配置し、
　上記一対の送りローラが、印刷胴の大径部が圧胴との間で被印刷材に接している間にわたってこの大径部の回転速度と等速で被印刷材を走行し、小径部が被印刷材に対向している間に、上記印刷胴の大径部のうちの非画像範囲にわたって被印刷材を逆方向に走行させるようにしたバリアブル印刷機。」
《相違点》 
　本願発明では、「印刷ユニットの圧胴の上流側と下流側の少なくとも一方に、印刷胴と圧胴の間を通る被印刷材を圧胴に所定の巻き角にわたって巻き掛けるためのガイドローラを配置すると共に、圧胴を上記一対の送りローラと同期して正逆回転可能にした」のに対して、引用文献１記載発明では、そのようなガイドローラを配置しておらず、圧胴が一対の送りローラと同期して逆回転可能であるか、定かでない点。
　
５．判断
　引用文献２の段落【0035】には、「印刷ステーション内におけるウェブ（１２）の
搬送駆動は両方向ともに圧胴（２６）によって行われる
ウェブ（１４）を圧胴（２６）に巡らせる巻回角度範囲
所要の巻回角度範囲の値は、図示の実施形態においては約１８０°
　換言すれば、引用文献２記載の印刷機において、ウェブは圧胴に１８０度にわたり巻き掛けられ、圧胴はウェブの（正逆）両方向への搬送速度と等速で、即ち、同期して正・逆回転するものである。
　又、引用文献２の段落【0016】には、「圧胴（２６）から出て行くウェブ（１２）は…(略)…第２遊動ローラ（３２）と別の定置遊動ローラ（４４）とを巡り、」（１〜２行）と記載されており、該記載と図３Ａ〜３Ｃによれば、圧胴に対するウエブの巻回は、少なくとも圧胴の下流側においては、下流側に配置された「第２遊動ローラ（３２）」によりなされており、このように、ウェブが圧胴に巻回され、圧胴と同期して走行するものであれば、図３Ｃに示される、印刷終了後の、ゴム胴がウェブと接触しない間であっても、ウェブのバタツキが生じないことは明らかであるから、引用文献２記載の「第２遊動ローラ（３２）」は、ウェブのバタツキを防止するという用もなすものであることは明らかである。
　即ち、引用文献２に記載される「第２遊動ローラ（３２）」は、本願発明の「ガイドローラ」に相当するものである。
　結局、引用文献２には、正・逆回転する圧胴に、ウエブのバタツキを防止し、且つ、ウエブを圧胴に所定角度にわたって巻き掛けるガイドローラを配置すると共に、圧胴は、ウェブの両方向への走行と同期して、正・逆回転することが記載されている。
　
　他方、引用文献１記載発明において、圧胴がブランケット胴（ゴム胴）の大径部に接触して印刷が行われた後、圧胴はブランケット胴の小径部に対向し、ブランケット胴が用紙と接触しなくなるため、用紙に対するブランケット胴の押圧がなくなり、用紙が浮き上がる可能性があること、即ち、用紙のバタツキが生じ易くなることは明らかであり、引用文献１記載発明においても、用紙のバタツキを防止すべきことは自明の課題である。
　してみると、この自明の課題を解決するために、同様にウェブ（用紙）のバタツキを防止する、引用文献２記載の技術事項を適用すること、換言すれば、圧胴にウエブのバタツキを防止し、ウエブを圧胴に所定角度にわたって巻き掛けるガイドローラを配置し、圧胴を、ウェブの両方向への走行（搬送）と同期して正・逆回転させるようにすることは、当業者が容易に想到することと認められる。
　そして、引用文献１記載発明においては、用紙の両方向への走行（搬送）は、送りロールによってなされるものであるから、圧胴は
送りロールとも同期して
　結局、上記相違点に係る特定事項は、引用文献２記載の技術事項に基づいて、当業者が容易に想到し得ることと認められる。
　念のため付記するに、上記のとおり、引用文献２記載のウェブは、圧胴に所定角度（例えば、１８０度）で巻き掛けられ、圧胴と等速で走行するものであるから、引用文献１記載発明に引用文献２記載の技術事項を適用するに際し、圧胴が、用紙（ウェブ）と同方向であっても等速で回転しなかったり、用紙の走行方向とは逆方向に回転したりすると、用紙に無理な応力が掛かることは明らかであり、その結果、用紙に皺がよったり、用紙が破れたりすることになるから、この点からみても、圧胴を、ウェブの両方向への走行と同期して（送りロールと同期して）正・逆回転させるようにすべきであることは当業者に自明のことである。
　
　なお、審判請求人は、平成２２年１０月８日付け意見書において、引用文献２の遊動ローラは、圧胴がウエブ駆動の主体であるため、ウエブ駆動時のスリップを防止するために配置しているのであり、本願発明がガイドローラを使用する目的とは相違する旨主張する（２頁14〜16行参照）。
　確かに、引用文献２の段落【0035】に「ウェブ（１２）の搬送駆動は両方向ともに圧胴（２６）によって行われるので、ウェブ（１４）を圧胴（２６）に巡らせる巻回角度範囲は、滑りを防止し且つ…(略)…高精度とするために、或る最低値を下回ってはならない。」と記載されるように、ウェブを圧胴に巻回する第一義の目的は、滑り防止である。
　しかしながら、上記のとおり、引用文献２記載の第２遊動ローラは、滑り防止とともに、バタツキも防止していることは明らかであり、又、引用文献１記載発明のようなバリアブル印刷機において、用紙のバタツキを防止すべきことは自明の課題であって、そのような課題を解決するために、引用文献２記載の技術事項を適用することは、当業者にとって格別の困難なこととも認められないから、審判請求人の主張は採用できない。
　
　以上のとおりであるから、上記相違点に係る特定事項は、当業者が適宜想到或いは採用可能なものであって、それらを寄せ集めたことにより得られる作用効果も当業者であれば容易に推察可能なものであって、格別なものとは言えない。 
　したがって、本願発明は、引用文献１記載発明及び引用文献２記載の技術事項に基づいて、当業者が容易に発明をすることができたものである。  
 　  
６．むすび  
　上記のとおり、本願発明は、特許法第２９条第２項の規定により特許を受けることができないから、他の請求項を検討するまでもなく、本願は、拒絶されるべきものである。
　よって、結論のとおり審決する。